(57)【特許請求の範囲】
【請求項１】
ローカルネットワークで接続された電化製品の設定を、インターネット網を介して行う方法であって、
端末が、前記電化製品の設定のために割り当てられ、グローバルＩＰアドレスと対応付けられた固有アドレスに、インターネット網を介してアクセスをするステップと、
前記固有アドレスに対応したＷｅｂサーバが、前記端末からのアクセスに応じて応答し、ガイダンスを表示することで、前記端末から、前記電化製品の設定のための入力操作を受付けるステップと、
前記Ｗｅｂサーバが、前記端末からの入力操作に基づいて、前記電化製品の設定に関する設定データを生成し、記憶するステップと、
前記インターネット網にアクセス可能なゲートウェイ装置が、前記設定データを所定のタイミングで受信するステップと、
前記ゲートウェイ装置が、前記電化製品の前記インターネット網へのアクセスに応じて、受信した設定データに基づいて、前記電化製品に対して設定を行うステップと、を備える方法。
【請求項２】
前記電化製品の設定のために割り当てられた固有アドレスとは、前記Ｗｅｂサーバのアドレスであって、前記Ｗｅｂサーバが、さらに、電化製品を特定するための識別ＩＤの入力を受付け、前記端末から、前記電化製品の設定のための入力操作を受付ける請求項１に記載の方法。
【請求項３】
前記設定を行うステップとは、前記電化製品の設定を行う文章を解析し、入力タグを抽出して、設定データを入力することで、設定を行う請求項１又は２に記載の方法。
【請求項４】
前記電化製品の設定のために割り当てられた固有アドレスとは、前記電化製品に固有のアドレスである請求項１から３の何れかに記載の方法。
【請求項５】
ネットワーク機器の設定を、インターネット網を介して行う方法であって、
端末が、前記ネットワーク機器の設定のために割り当てられ、グローバルＩＰアドレスと対応付けられた固有アドレスに、インターネット網を介してアクセスをするステップと、
前記固有アドレスに対応したＷｅｂサーバが、前記端末からのアクセスに応じて応答し、ガイダンスを表示することで、前記端末から、前記ネットワーク機器の設定のための入力操作を受付けるステップと、
前記Ｗｅｂサーバが、前記端末からの入力操作に基づいて、前記ネットワーク機器の設定に関する設定データを生成し、記憶するステップと、
前記インターネット網にアクセス可能なネットワーク機器が、前記設定データを所定のタイミングで受信するステップと、
前記ネットワーク機器が、受信した設定データに基づいて自身の設定を行うステップと、を備える方法。
【請求項６】
ローカルネットワークで接続された電化製品の設定を、インターネット網を介して行うシステムであって、
端末が、前記電化製品の設定のために割り当てられ、グローバルＩＰアドレスと対応付けられた固有アドレスに、インターネット網を介してアクセスをする設定手段と、
前記固有アドレスに対応したＷｅｂサーバが、前記端末からのアクセスに応じて応答し、ガイダンスを表示することで、前記端末から、前記電化製品の設定のための入力操作を受付ける設定受付手段と、を備え、
前記Ｗｅｂサーバが、前記端末からの入力操作に基づいて、前記電化製品の設定に関する設定データを生成し、記憶する設定データ記憶手段を備え、
前記インターネット網にアクセス可能なゲートウェイ装置が、
前記設定データを前記Ｗｅｂサーバから所定のタイミングで受信する設定データ受信手段と、
前記電化製品の前記インターネット網へのアクセスに応じて、受信した設定データに基づいて、前記電化製品に対して設定を行う設定実行手段と、
を備えるシステム。
【発明の詳細な説明】
【技術分野】
【０００１】
本発明は、電化製品の設定を行うための設定方法、及びシステムに関し、特に、設定のための固有アドレスにより、電化製品の設定を行う設定方法及びシステムに関する。
【背景技術】
【０００２】
従来より、ルータ等の電化製品に対して、ローカルネットワークで通信可能に接続された端末からアクセスすることで、当該ルータを設定することが知られている。
【０００３】
例えば、通信事業者が、提供する回線を利用するために、ユーザのルータやモデム等の設定を、端末のウェブブラウザから行うことが知られている（例えば、非特許文献１参照）。
【先行技術文献】
【非特許文献】
【０００４】
【非特許文献１】東日本電信電話株式会社、“ブロードバンドルータ接続方法”、［ｏｎｌｉｎｅ］、［平成２２年８月２４日検索］、インターネット＜ＵＲＬ：ｈｔｔｐ：//ｆｌｅｔｓ.ｃｏｍ/ｓｑｕａｒｅ/ｍｕｌｔｉｓｅｓｓｉｏｎ＿ｒｏｕｔｅｒ.ｈｔｍｌ＞
【発明の概要】
【発明が解決しようとする課題】
【０００５】
しかしながら、非特許文献１の方法では、設定を行う電化製品に対して、ローカルネットワークからアクセス可能な端末が必要である。さらに、ローカルに接続された端末からＷｅｂブラウザでアクセスして、電化製品の設定を行うが、ユーザにとっては、電化製品の設定のためには、ローカルネットワークに限定されずに、インターネット網などから設定が可能であることが望ましい。
【０００６】
また、非特許文献１では、設定される電化製品が、ルータやモデム等であるが、一般的には、ルータやモデム等のネットワーク機器に限らず、これらのネットワーク機器により形成されているローカルネットワーク内の電子機器に対しても、同じような方法で、設定が可能であることが望ましい。
【０００７】
そこで、本発明は、ネットワーク機器や電化製品の設定において、ローカル接続された端末に限定されずに、設定を可能とする方法、システムを提供することを目的とする。
【課題を解決するための手段】
【０００８】
本発明では、以下のような解決手段を提供する。
【０００９】
第１の特徴に係る発明は、ローカルネットワークで接続された電化製品（電化製品１０）の設定を、インターネット網を介して行う方法であって、端末（スマートフォン１００）が、前記電化製品の設定のために割り当てられ、グローバルＩＰアドレスと対応付けられた固有アドレスに、インターネット網を介してアクセスをするステップと、前記固有アドレスに対応したＷｅｂサーバ（Ｗｅｂサーバ２００）が、前記端末からのアクセスに応じて応答し、ガイダンスを表示することで、前記端末から、前記電化製品の設定のための入力操作を受付けるステップと、前記Ｗｅｂサーバが、前記端末からの入力操作に基づいて、前記電化製品の設定に関する設定データを生成し、記憶するステップと、前記インターネット網にアクセス可能なゲートウェイ装置が、前記設定データを所定のタイミングで受信するステップと、前記ゲートウェイ装置が、前記電化製品の前記インターネット網へのアクセスに応じて、受信した設定データに基づいて、前記電化製品に対して設定を行うステップと、を備える方法。
【００１０】
第１の特徴に係る発明によれば、端末が、電化製品の設定のために割り当てられ、グローバルＩＰアドレスと対応付けられた固有アドレスに、インターネット網を介してアクセスし、前記固有アドレスに対応したＷｅｂサーバが、端末からのアクセスに応じて応答し、ガイダンスを表示することで、端末から、電化製品の設定のための入力操作を受付け、Ｗｅｂサーバが、端末からの入力操作に基づいて、電化製品の設定に関する設定データを生成し、記憶する。そして、インターネット網にアクセス可能なゲートウェイ装置が、設定データを所定のタイミングで受信し、電化製品からのインターネット網へのアクセス要求に応じて、受信した設定データに基づいて、電化製品に対して設定を行う。
【００１１】
したがって、端末から固有アドレスに対応したＷｅｂサーバへアクセスすることで、電化製品の設定を、ガイダンスにより受付けて、Ｗｅｂサーバにアクセスしたゲートウェイ装置が、ローカルネットワークで接続された電化製品の設定を、所定のタイミングで行うことができる。ユーザにとっては、インターネット網に接続可能な端末から設定指示を行うことで、ローカルネットワークに接続された電化製品の設定を行うことが可能であり、設定を行う端末がローカルネットワーク内の端末に限定されない。さらに、ユーザは、電化製品やゲートウェイ装置に対して、設定のための特別な操作を行う必要がない。すなわち、設定される電化製品がゲートウェイ装置にアクセスすることをきっかけとして、電化製品の設定を自動的に行うため、電化製品に対して、設定のための特別な操作をユーザに必要としない。
【００１２】
第１の特徴に係る発明は、発明のカテゴリにおいて方法のみならず、システムにおいても同様の作用・効果を奏する。
【００１３】
第２の特徴に係る発明は、第１の特徴に係る発明であって、前記電化製品の設定のために割り当てられた固有アドレスとは、前記Ｗｅｂサーバのアドレスであって、前記Ｗｅｂサーバが、さらに、電化製品を特定するための識別ＩＤの入力を受付け、前記端末から、前記電化製品の設定のための入力操作を受付ける。
【００１４】
この場合は、端末が利用するアドレスに、Ｗｅｂサーバに固有のアドレスが割り当てられる。そして、識別ＩＤを電化製品毎に設け、識別ＩＤの入力を受信して、設定すべき電化製品を特定することができる。したがって、アドレスがＷｅｂサーバに固有であるため、多数のアドレスを用意する必要がない。
【００１５】
第３の特徴に係る発明は、さらに、前記設定を行うステップとは、前記電化製品の設定を行う文章を解析し、入力タグを抽出して、設定データを入力することで、設定を行う。
【００１６】
第４の特徴に係る発明は、さらに、電化製品の設定のために割り当てられた固有アドレスとは、前記電化製品に固有のアドレスである。
【００１７】
この場合は、電化製品に、固有のアドレスが割り当てられていることで、電化製品をローカルネットワークに接続し、ゲートウェイ装置と通信可能に接続しておけば、端末から、その固有アドレスにアクセスするだけで、当該電化製品の設定を行うことができるので、有用である。
【００１８】
第５の特徴に係る発明は、ネットワーク機器（ゲートウェイ装置５０）の設定を、インターネット網を介して行う方法であって、端末（スマートフォン１００）が、前記ネットワーク機器の設定のために割り当てられ、グローバルＩＰアドレスと対応付けられた固有アドレスに、インターネット網を介してアクセスするステップと、前記固有アドレスに対応したＷｅｂサーバ（Ｗｅｂサーバ２００）が、前記端末からのアクセスに応じて応答し、ガイダンスを表示することで、前記端末から、前記ネットワーク機器の設定のための入力操作を受付けるステップと、前記Ｗｅｂサーバが、前記端末からの入力操作に基づいて、前記ネットワーク機器の設定に関する設定データを生成し、記憶するステップと、前記インターネット網にアクセス可能なネットワーク機器が、前記設定データを所定のタイミングで受信するステップと、前記ネットワーク機器が、受信した設定データに基づいて自身の設定を行うステップと、を備える方法。
【００１９】
第５の特徴に係る発明によれば、端末が、ネットワーク機器の設定のために割り当てられ、グローバルＩＰアドレスと対応付けられた固有アドレスに、インターネット網を介してアクセスし、この固有アドレスに対応したＷｅｂサーバが、端末からのアクセスに応じて応答し、ガイダンスを表示することで、端末から、ネットワーク機器の設定のための入力操作を受付ける。そして、Ｗｅｂサーバが、端末からの入力操作に基づいて、ネットワーク機器の設定に関する設定データを生成し、記憶し、インターネット網にアクセス可能なネットワーク機器が、設定データを所定のタイミングで受信し、受信した設定データに基づいて設定を行う。
【００２０】
したがって、端末からのインターネット網へのアクセスにより、操作入力で、ネットワーク機器の設定をＷｅｂサーバのガイダンスにより受付けて、Ｗｅｂサーバにアクセスしたネットワーク機器が、ネットワーク機器の設定を所定のタイミングで行うことができる。ユーザにとっては、端末を介して、インターネット網からの設定を行うだけで、ネットワーク機器の設定を行うことが可能である。
【発明の効果】
【００２１】
本願発明によれば、ネットワーク機器や電化製品の設定において、ローカル接続された端末に限定されずに、設定を可能とする方法、システムを提供することが可能である。
【図面の簡単な説明】
【００２２】
【図１】図１は、システム構成を示す図である。
【図２】図２は、システムを構成する機能ブロックを示す図である。
【図３】図３は、ゲートウェイ装置５０の設定処理フローを示す図である。
【図４】図４は、電化製品１０の設定処理フローを示す図である。
【図５】図５は、スマートフォン１００からＷｅｂサーバへのアクセス時の画面イメージを示す。
【図６】図６は、スマートフォン１００からＷｅｂサーバへのアクセス時（識別ＩＤ利用時）の画面イメージを示す。
【図７】図７は、設定ガイダンスの一例を示す図である。
【図８】図８は、アドレス対応テーブルを示す図である。
【図９】図９は、設定項目対応テーブルを示す図である。
【図１０】図１０は、グローバルＩＰ対応テーブルを示す図である。
【図１１】図１１は、識別ＩＤ対応テーブルを示す図である。
【図１２】図１２は、設定データ設定処理フローを示す図である。
【図１３】図１３は、スマートフォン１００の画面イメージを示す図である。
【発明を実施するための形態】
【００２３】
以下、本発明を実施するための最良の形態について図を参照しながら説明する。なお、これはあくまでも一例であって、本発明の技術的範囲は、これに限られるものではない。
【００２４】
［システム構成］
図１を参照して、本実施例のシステム構成について説明する。設定システム１は、少なくとも、スマートフォン１００、移動体通信網２、インターネット網３、Ｗｅｂサーバ２００、ゲートウェイ装置５０、電化製品１０（テレビ１０−ａ、パソコン１０−ｂ）から構成される。
【００２５】
スマートフォン１００は、アクセス時には、無線通信により移動体通信網２に接続され、インターネット網３を介して、Ｗｅｂサーバ２００に接続される。Ｗｅｂサーバ２００とゲートウェイ装置５０は、それぞれ、インターネット網３内で固有のグローバルＩＰアドレスを有することで、通信を可能にする。
【００２６】
移動体通信網２は、第３世代移動通信システムを構成する通信網のみならず、ワイヤレスＬＡＮの通信網を含んでいてよい。ゲートウェイ装置５０は、インターネット網３と接続されている。ゲートウェイ装置５０と電化製品１０は、ローカルネットワーク５により有線又は無線で接続されている。すなわち、ゲートウェイ装置５０と電化製品１０が、ローカルネットワーク５内で区別されるプライベートアドレスを有し、通信可能に接続されている。
【００２７】
［各機器の機能説明］
図２は、Ｗｅｂサーバ２００、スマートフォン１００、ゲートウェイ装置５０の最低限の機能を説明するための機能ブロック図である。図２を参照して説明する。
【００２８】
Ｗｅｂサーバ２００は、いわゆる、スマートフォン１００等の端末からのＷｅｂブラウザからのアクセスに対して、Ｗｅｂサーバとして応答を行う。ＤＮＳ（Ｄｏｍａｉｎ  Ｎａｍｅ  Ｓｅｒｖｅｒ）サーバが、スマートフォン１００から入力されたＵＲＬ（Ｕｎｉｆｏｒｍ  Ｒｅｓｏｕｒｃｅ  Ｌｏｃａｔｏｒ）に対して、名前解決を行い、グローバルＩＰアドレスを利用して、スマートフォン１００をＷｅｂサーバ２００にアクセスさせる。
【００２９】
Ｗｅｂサーバ２００は、制御部として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、インターネット網３と通信可能にする有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える。
【００３０】
Ｗｅｂサーバ２００は、少なくとも設定受付手段２０１と、設定データ記憶手段２０２を備える。上述の制御部、記憶部、通信部、モニタ等の表示部、キーボード等の入力部により、これらの手段が実現される。Ｗｅｂサーバ２００の記憶部には、図８から図１１に示す各テーブルが記憶される。
【００３１】
なお、Ｗｅｂサーバ２００の一部が、他のサーバにより実現されていてもよい。すなわち、設定データ記憶手段２０２が、設定サーバのような他のハードウェアにより実現され、Ｗｅｂサーバ２００からの設定データを受信して、設定データを記憶し、ゲートウェイ装置５０からの要求により、設定データを逐次、送信してもよい。
【００３２】
固有アドレスとは、ＵＲＬアドレスであってよく、Ｗｅｂサーバ２００のグローバルＩＰアドレスと対応付けられている。固有アドレスは、インターネット網３内で固有のアドレスであるが、この固有アドレスは、ユーザＩＤやゲートウェイ装置５０又は電化製品１０を識別するための識別子を一部に含んでもよい。
【００３３】
スマートフォン１００は、ユーザが使用する端末であって、下記の機能を備えれば、例えば、携帯電話、携帯情報端末、コンピュータ（パソコン）、テレビ、電話機に加えて、ネットブック端末、スレート端末、電子書籍端末等であってよい。
【００３４】
スマートフォン１００は、制御部として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、移動体通信網２と通信可能にする有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える。さらに、画像を表示する液晶モニタ等の表示部を備え、ユーザからの入力を受付けるタッチパネル、キーボード等の入力部を備える。スマートフォン１００は、制御部が所定のプログラムを読み込み、各種データの入力、出力を行う。
【００３５】
スマートフォン１００は、設定手段１０１を少なくとも備え、上述の制御部、記憶部、通信部、表示部、入力部により、これらの手段が実現される。
【００３６】
ゲートウェイ装置５０は、ローカルネットワーク５とインターネット網３との終端に備えられるネットワーク機器であって、ゲートウェイ、ルータ、モデムのみならず、交換機等であってよい。ゲートウェイ装置５０は、グローバルＩＰが割り振られている機器であって、インターネット網３にアクセスし、所定のサーバへデータを問い合わせて、所定のデータを受信することが可能な装置である。ゲートウェイ装置５０は、好適な実施形態では、ＮＡＴ（Ｎｅｔｗｏｒｋ  Ａｄｄｒｅｓｓ  Ｔｒａｎｓｌａｔｉｏｎ）の機能を有し、電化製品１０が外部ネットワーク（公衆回線網）に接続するときには、その通信を管理する装置である。ゲートウェイ装置５０は、グローバルＩＰが割り振られている機器であれば、例えば、携帯電話であってもよい。
【００３７】
ゲートウェイ装置５０は、制御部５１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信デバイス５５として、インターネット網３及び電化製品１０と通信可能にする有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える場合もある。さらに、画像を表示する液晶モニタ等の表示部を備えてもよい。ユーザからの入力を受付けるタッチパネル、キーボード等の入力部を備えていてもよい。
【００３８】
ゲートウェイ装置５０は、制御部５１及び通信デバイス５５との協働により実現する手段として、設定データ受信手段５２、設定実行手段５３を少なくとも備える。
【００３９】
ゲートウェイ装置５０の設定は、ユーザが当該ゲートウェイ装置５０に一般的なコンピュータ端末からアクセスして、当該端末に表示されるＷｅｂブラウザに設定情報を入力することで、この設定を受信したゲートウェイ装置５０が設定されるといった形態が、好適な実施形態である。
【００４０】
電化製品１０は、ゲートウェイ装置５０とローカルネットワーク５により通信可能に接続される家電製品、業務用製品であってよく、テレビ１０−ａ、パソコン１０−ｂ、プリンタ、電話機、ＦＡＸ機、コピー機、スキャナ機、ＭＦＰ（多機能周辺装置、多機能プリンタ）、デジタル・カメラ、携帯電話、携帯情報端末に加えて、スマートフォン、ネットブック端末、スレート端末、電子書籍端末、携帯型音楽プレーヤ、オーディオコンポ、コンテンツ再生・録画プレーヤ等であってよい。業務用製品としては、電化製品１０は、デジタルサイネージ用のテレビや、高性能の自動販売機であってもよい。
【００４１】
なお、以下の説明において、電化製品１０は、グローバルＩＰを持たず、インターネット網３とローカルネットワークとの終端部として機能しない点で、ゲートウェイ装置５０とは区別するが、電化製品１０が、ゲートウェイ装置５０自身であってもよい。すなわち、ゲートウェイ装置５０が、自ら設定データを受信し、自らの設定を実行してもよい。
【００４２】
電化製品１０は、同様に、制御部として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備えてもよい。さらに、画像を表示する液晶モニタ等の表示部を備え、サポート者から入力を受付けるマウスやタッチパネル等の入力部を備えてよい。
【００４３】
電化製品１０の設定は、ユーザが当該電化製品１０に一般的なコンピュータ端末からアクセスして、当該端末に表示されるＷｅｂブラウザに設定情報を入力することで、この設定を受信した電化製品１０が設定されるといった形態が、好適な実施形態である。
【００４４】
［ゲートウェイ装置５０の設定処理フロー］
図３は、ゲートウェイ装置５０の設定処理を示すフローチャートである。図３に基づいて、ゲートウェイ装置５０の設定を実行する処理について説明する。以下では、ゲートウェイ装置５０の設定処理を説明するが、ここで設定されるゲートウェイ装置５０は、制御部、記憶部、通信部を有し、グローバルＩＰが割り当てられたネットワーク機器であってよく、例えば、携帯電話機、スマートフォンであってよい。以下では、好適な実施例として、設定される対象が、ゲートウェイ装置５０について説明するが、設定される対象は、ローカルネットワーク５とインターネット網３との終端として機能するゲートウェイ機能を有していることに限定されない。
【００４５】
最初に、ゲートウェイ装置５０の設定の変更を望むユーザが、スマートフォン１００の設定手段１０１を用いて、Ｗｅｂアクセスを行う（ステップＳ０１）。Ｗｅｂアクセスとは、スマートフォン１００のＷｅｂブラウザにより、Ｗｅｂサーバ２００のＵＲＬを指定して、Ｗｅｂサーバ２００にアクセスする処理である。
【００４６】
ここで、スマートフォン１００からＷｅｂアクセスするための固有アドレスは、設定を行うゲートウェイ装置５０に固有のＵＲＬアドレス（ｈｔｔｐ：／／ｓｕｐｐｏｒｔ／ｋｅｎ・・）である。すなわち、図８に示すように、ゲートウェイ装置５０の種類は、無線ルータ「ＰＣ−０１」であって、このゲートウェイ装置５０を所有するユーザは、ユーザＩＤ「ＫＥＮ」で区別される。詳細は、図８に基づいて説明する。
【００４７】
ユーザＩＤは、ゲートウェイ装置５０の所有者を特定するための識別子であって、ユーザであることに限定されず、例えば、ローカルネットワーク５を区別するためのローカルネットワークＩＤであってもよい。
【００４８】
Ｗｅｂサーバ２００の設定受付手段２０１は、スマートフォン１００の設定手段１０１からのアクセスに応答し、Ｗｅｂページで構成されるガイダンスを表示する（ステップＳ０２）。Ｗｅｂサーバ２００は、図８に示すアドレス対応テーブルを記憶しており、アクセスのあったＵＲＬアドレスから、ゲートウェイ装置５０の機種名「ＰＣ−０１」を特定して、設定項目対応テーブルを参照し、設定される項目を特定する。設定される項目が特定されると、Ｗｅｂサーバ２００に予め記憶された、対応するＷｅｂページで構成されるガイダンスを、順次、表示する。
【００４９】
例えば、設定項目対応テーブルによれば、「ＰＣ−０１」であれば、ＳＳＩＤ（ＩＥＥＥ８０２．１１の無線ＬＡＮにおけるアクセスポイントの識別子）の入力と、ＰＰＰｏＥ（ＰＰＰ  ｏｖｅｒ  Ｅｔｈｅｒｎｅｔ）の設定と、省電力設定が設定項目である。したがって、ガイダンスは、図７に示すように、「ＰＣ−０１  無線ルータの設定を行います」、「設定対象をお聞きします。ネットワーク設定の場合は「１」を、省電力設定の場合は「２」を、クリックしてください。」等のガイダンスが表示される。
【００５０】
次に、上述のガイダンスに対して、スマートフォン１００の設定手段１０１がユーザから設定を行うための入力操作を受付ける（ステップＳ０３）。すなわち、ユーザが、スマートフォン１００から設定操作を入力することで、ガイダンスに対する選択指示を行う。Ｗｅｂサーバ２００は、この設定操作を受けて、設定処理を進める。
【００５１】
Ｗｅｂサーバ２００の設定受付手段２０１は、受信した設定情報から設定データを生成する（ステップＳ０４）。設定データとは、スマートフォン１００から受信した設定情報に基づいて生成されるゲートウェイ装置５０を設定するためのデータであって、設定する内容となるファイルとともに、このファイルを所定のディレクトリに格納するためのスクリプトを含んでいてもよい。そして、この設定データを、設定データ記憶手段２０２に記憶する。この際に、設定データは、設定が反映されるゲートウェイ装置５０のグローバルＩＰと、ユーザＩＤのいずれか又は両方と対応づけて記憶される（図１０のグローバルＩＰ対応テーブル）。なお、各ゲートウェイ装置５０のグローバルＩＰは、予め、Ｗｅｂサーバ２００に記憶されている。
【００５２】
次に、ゲートウェイ装置５０の設定データ受信手段５２が、Ｗｅｂサーバ２００にアクセスし、設定データを要求する（ステップＳ０５）。すなわち、ゲートウェイ装置５０が、１日に１回など、所定時間毎に、定期的に、Ｗｅｂサーバ２００に設定データを要求するようにしておく。ゲートウェイ装置５０による要求を受けて、Ｗｅｂサーバ２００は、グローバルＩＰ対応テーブルを参照し、自らのグローバルＩＰに、設定データが記憶されているか否かを確認する。
【００５３】
ゲートウェイ装置５０の設定データ受信手段５２は、設定データを受信し（ステップＳ０７）、設定実行手段５３が、設定データの設定処理を実行する（ステップＳ０８）。設定データの設定処理は、図１２に基づいて後述する。
【００５４】
なお、上述の説明では、スマートフォン１００からアクセスするＵＲＬアドレスは、ゲートウェイ装置５０に固有のアドレスであった。この点について好適な実施例を説明する。
【００５５】
ユーザは、スマートフォン１００からアクセス可能な所定のサーバ（所有物管理サーバ）にアクセスし、ユーザＩＤで認証し、設定を行うゲートウェイ装置５０の種類を選択する。ここでは、「ＰＣ−０１」の設定をユーザが所望し、選択する（図５の（ａ））。
【００５６】
そして、所有物管理サーバが、このユーザのゲートウェイ装置５０に対して、固有のＵＲＬアドレスを割り当てる。例えば、ユーザＩＤとゲートウェイ装置の機種名「ＰＣ−０１」を組み合わせた、ＵＲＬアドレスを割り当てる。Ｗｅｂサーバ２００側の当該ＵＲＬアドレスの宛先には、雛型となるゲートウェイ装置５０である「ＰＣ−０１」の設定のためのＨＴＭＬ文章が保存されている。
【００５７】
所有物管理サーバは、固有のＵＲＬアドレスを割り当てると、Ｗｅｂサーバ２００のアドレス対応テーブルに、割り当てたＵＲＬアドレス、割り当てたユーザＩＤ、割り当てたゲートウェイ装置５０である機種名を記憶する。さらに、所有物管理サーバは、スマートフォン１００からのＷｅｂアクセスを受けるために、割り当てたＵＲＬアドレスをスマートフォン１００へ送信し、スマートフォン１００がこれを表示する（図５の（ｂ））。
【００５８】
一方、ゲートウェイ装置５０の設定のために割り当てられたＵＲＬアドレスが、Ｗｅｂサーバ２００に固有のＵＲＬアドレスである場合について説明する。Ｗｅｂサーバ２００に固有のＵＲＬアドレスとは、Ｗｅｂサーバ２００を識別するためのＵＲＬアドレスであって、Ｗｅｂサーバ２００にアクセスするスマートフォン１００は、全て、このＵＲＬアドレスとなる。したがって、この場合は、スマートフォン１００からＷｅｂサーバ２００にアクセスしても、スマートフォン１００から設定しようとするユーザＩＤも判別できないし、ゲートウェイ装置５０の種類も特定できない。
【００５９】
そこで、図６に示すように、ユーザＩＤと、識別ＩＤを用いる。予め、Ｗｅｂサーバ２００には、図１１に示す識別ＩＤ対応テーブルが記憶されている。識別ＩＤ対応テーブルは、識別ＩＤと、対応するゲートウェイ装置５０の機種名が対応づけられたテーブルである。ユーザは、ゲートウェイ装置５０の種類を選択する。これに応じて、Ｗｅｂサーバ２００が、識別ＩＤ対応テーブルを参照して、対応する識別ＩＤをスマートフォン１００に表示する。
【００６０】
ユーザが識別ＩＤを入力することで、入力された識別ＩＤに基づいてゲートウェイ装置５０の種類が特定される。そして、特定されたゲートウェイ装置５０の種類から、設定項目対応テーブルが参照されて、設定項目が判断され、設定項目に適したガイダンスがウィザードとして表示される。そして、いずれかのタイミングで、ユーザＩＤの入力をユーザに促し、ユーザＩＤの入力を受付ける。このユーザＩＤに基づいて、グローバルＩＰ対応テーブルを参照し、対応するユーザＩＤに、設定データを対応づける。以降の処理は、上述と同様である。このように、識別ＩＤとユーザＩＤにより、Ｗｅｂサーバ２００に固有のＵＲＬアドレスとすることも可能である。
【００６１】
［電化製品１０の設定処理フロー］
次に、電化製品１０の設定処理について、図４に基づいて、電化製品１０の設定を実行する処理について説明する。
【００６２】
最初に、電化製品１０の設定の変更を望むユーザが、スマートフォン１００の設定手段１０１を用いて、Ｗｅｂアクセスを行う（ステップＳ１０）。
【００６３】
ここで、スマートフォン１００からＷｅｂアクセスするためのＵＲＬアドレスは、設定を行う電化製品１０に固有のアドレスである。すなわち、電化製品１０の種類は、テレビ「ＴＶ１００」であって、この電化製品１０のユーザは、ユーザＩＤ「ＫＥＮ」で区別される。
【００６４】
ユーザＩＤは、電化製品１０の所有者を特定するための識別子であって、ユーザであることに限定されず、例えば、ローカルネットワーク５を区別するためのローカルネットワークＩＤであってもよい。
【００６５】
Ｗｅｂサーバ２００の設定受付手段２０１は、スマートフォン１００の設定手段１０１からのアクセスに応答し、ガイダンスを表示する（ステップＳ１１）。Ｗｅｂサーバ２００は、アドレス対応テーブルを記憶する。アドレス対応テーブルは、図８の機種名が、電化製品１０の機種名に対応したテーブルである。アクセスのあったＵＲＬアドレスから、電化製品１０の機種名「ＴＶ１００」を特定して、設定項目対応テーブルを参照し、設定される項目を特定する。設定される項目が特定されると、Ｗｅｂサーバ２００に予め記憶された、対応するガイダンスを、順次、表示する。
【００６６】
例えば、設定項目対応テーブルによれば、「ＴＶ１００」であれば、省電力設定が設定項目である。したがって、ガイダンスは、「省電力設定を行います。画面の輝度の設定を行う場合は、「１」を押してください。」等のガイダンスが表示される。
【００６７】
次に、上述のウィザード形式でのガイダンスに対して、スマートフォン１００の設定手段１０１がユーザから設定を行うための入力操作を受付ける（ステップＳ１２）。すなわち、ユーザが、スマートフォン１００に入力操作をすることで、ガイダンスに応じた選択指示を行う。Ｗｅｂサーバ２００は、この入力操作に応じて、設定処理を進める。
【００６８】
Ｗｅｂサーバ２００の設定受付手段２０１は、受信した設定情報から設定データを生成する（ステップＳ１３）。設定データとは、スマートフォン１００から受信した設定情報に基づいて生成される電化製品１０を設定するためのデータである。すなわち、受信した省電力の設定情報を、設定データとして生成する。そして、この設定データを設定データ記憶手段２０２に記憶する。この際に、設定データは、電化製品１０がローカルネットワーク５で通信可能に接続されているゲートウェイ装置５０のグローバルＩＰと、ユーザＩＤとの両方又は一方と対応づけて記憶される（図１０のグローバルＩＰ対応テーブル）。なお、各ゲートウェイ装置５０のグローバルＩＰは、予め、Ｗｅｂサーバ２００に記憶されている。
【００６９】
次に、ゲートウェイ装置５０の設定データ受信手段５２が、Ｗｅｂサーバ２００に設定データを要求する（ステップＳ１４）。これに応じて、Ｗｅｂサーバ２００は設定データを送信する（ステップＳ１５）。すなわち、ゲートウェイ装置５０が、１日に１回など、定期的にアクセスし、Ｗｅｂサーバ２００に設定データを要求するようにしておく。ゲートウェイ装置５０による要求を受けて、Ｗｅｂサーバ２００は、グローバルＩＰ対応テーブルを参照し、自らのグローバルＩＰに、設定データが記憶されているか否かを確認する。
【００７０】
ゲートウェイ装置５０の設定データ受信手段５２は、設定データを受信し（ステップＳ１６）、記憶する。そして、電化製品１０が、ゲートウェイ装置５０へ所定のタイミングでアクセスする。この場合は、電化製品１０がインターネット網３等の外部ネットワークにアクセスする際に、ゲートウェイ装置５０にアクセスする（ステップＳ１７）。
【００７１】
このタイミングで、ゲートウェイ装置５０の設定実行手段５３が、電化製品１０に対して、設定データの送信とともに、設定処理を実行する（ステップＳ１８）。これに応じて、電化製品１０も、設定処理を実行する（ステップＳ１９）。
【００７２】
なお、上述の説明では、スマートフォン１００からアクセスするＵＲＬアドレスは、電化製品１０に固有のアドレスであった。この点について好適な実施例を説明する。
【００７３】
ユーザは、スマートフォン１００からアクセス可能な所定のサーバ（所有物管理サーバ）にアクセスし、ユーザＩＤで認証し、設定を行う電化製品１０の種類を選択する。すなわち、予め電化製品１０がユーザＩＤと関係づけられて記憶されている。ここでは、「ＴＶ１００」の設定をユーザが所望し、選択する。
【００７４】
そして、所有物管理サーバが、この電化製品１０に対して、固有のＵＲＬアドレスを割り当てる。例えば、ユーザＩＤと電化製品１０の機種名「ＴＶ１００」を組み合わせた、ＵＲＬアドレスを割り当てる。Ｗｅｂサーバ２００側の当該ＵＲＬアドレスの宛先には、雛型となる電化製品１０である「ＴＶ１００」の設定のためのＨＴＭＬ文章が保存されている。
【００７５】
次に、所有物管理サーバは、固有のＵＲＬアドレスを割り当てると、Ｗｅｂサーバ２００のアドレス対応テーブルに、割り当てたＵＲＬアドレス、割り当てたユーザＩＤ、割り当てた電化製品１０の機種名を記憶する。さらに、所有物管理サーバは、スマートフォン１００からのＷｅｂアクセスを促すために、割り当てたＵＲＬアドレスをスマートフォン１００へ送信し、スマートフォン１００が、これを表示する。
【００７６】
一方、電化製品１０の設定のために割り当てられたＵＲＬアドレスが、Ｗｅｂサーバ２００に固有のＵＲＬアドレスであって、ユーザＩＤと電化製品１０を識別しないアドレスである場合について説明する。Ｗｅｂサーバ２００に固有のＵＲＬアドレスとは、Ｗｅｂサーバ２００を識別するためのＵＲＬアドレスであって、Ｗｅｂサーバ２００にアクセスするスマートフォン１００は、全て、このＵＲＬアドレスとなる。したがって、この場合は、スマートフォン１００からＷｅｂサーバ２００にアクセスしても、スマートフォン１００から設定しようとするユーザＩＤも判別できないし、電化製品１０の種類も特定できない。
【００７７】
そこで、図６に示すように、ユーザＩＤと、識別ＩＤを用いる。予め、Ｗｅｂサーバ２００には、図１１に示す識別ＩＤ対応テーブルが記憶されている。識別ＩＤ対応テーブルは、識別ＩＤと、対応する電化製品１０の機種名が対応づけられたテーブルである。これに応じて、ユーザが、図１３（ｂ）に示すように、電化製品１０の種類を選択し、Ｗｅｂサーバ２００が、識別ＩＤ対応テーブルを参照して、対応する識別ＩＤをスマートフォン１００に表示する。
【００７８】
ユーザは、スマートフォン１００からアクセスした後に、Ｗｅｂサーバ２００に識別ＩＤを入力する。入力された識別ＩＤに基づいて電化製品１０の種類が特定され、設定項目対応テーブルが参照されて、設定項目が判断され、設定項目に適したガイダンスが表示される。
【００７９】
そして、いずれかのタイミングで、ユーザＩＤの入力をユーザに促し、ユーザＩＤの入力を受付ける。このユーザＩＤに基づいて、グローバルＩＰ対応テーブルを参照し、対応するユーザＩＤに、設定データを対応づける。以降の処理は、上述と同様である。このように、識別ＩＤとユーザＩＤにより、Ｗｅｂサーバ２００のＵＲＬアドレスであって、ユーザＩＤと電化製品１０を識別しないアドレスであるとすることも可能である。
【００８０】
なお、識別ＩＤとは、上述の例では、電化製品１０の種類を特定するためにのみ用いられているが、ユーザＩＤが含まれた識別ＩＤであってもよいし、スマートフォン１００を識別するなどの他の要素が含まれていてもよい。
【００８１】
［設定データ設定処理フロー］
図１２に基づいて、電化製品１０及びゲートウェイ装置５０への設定データの設定処理について説明する。まず、ゲートウェイ装置５０がＷｅｂサーバ２００から設定データを受信して、自らを設定する場合について説明する。
【００８２】
ゲートウェイ装置５０は、受信した設定データの設定方法がスマートフォン１００等の端末からのＷｅｂブラウザによる設定であるか否かを判断する（ステップＳ３０）。すなわち、受信した設定データをゲートウェイ装置５０に反映させる項目が、Ｗｅｂブラウザにより設定することが可能であるか否かを判断する。例えば、Ｗｅｂサーバ２００が、設定データを生成した際に、当該設定項目がＷｅｂブラウザで設定される項目であるか否かのフラグを起動しておき、ゲートウェイ装置５０が、このフラグの有無で、Ｗｅｂブラウザで設定される項目であるか否かを判断する。
【００８３】
設定方法がブラウザによる設定である場合には（ステップＳ３０：「ＹＥＳ」）、ステップＳ３１に処理を移す。設定方法がブラウザによる設定でない場合には、設定データを、所定のディレクトリに保存して処理を終了する（ステップＳ３４）。この場合は、設定項目によっては、所定のディレクトリに設定データを保存するのみで、設定が反映される場合がある。Ｗｅｂサーバ２００は、設定項目に応じて、このことを事前に判断し、保存するのみで設定が反映されるように、設定データを生成する。所定のディレクトリに設定データを保存するのみでは、設定が反映されない場合は、処理を終了して、ユーザに設定を促すウィザードを出力する。
【００８４】
ステップＳ３１にて、ゲートウェイ装置５０は、設定を行うためのＷｅｂブラウザに表示されるＨＴＭＬ（Ｈｙｐｅｒ  Ｔｅｘｔ  Ｍａｒｋｕｐ  Ｌａｎｇｕａｇｅ）文章を取得する（ステップＳ３１）。具体的には、設定を行うＨＴＭＬ文章を記憶されているファイルの中から検索する。
【００８５】
次に、取得したＨＴＭＬ文章を解析し、この設定Ｗｅｂページでユーザから入力される項目を定義している入力タグを抽出する（ステップＳ３２）。例えば、「ＳＳＩＤの設定」という文字検索と、「ＩＮＰＵＴ」のタグを抽出することで、ＳＳＩＤが設定されるタグであることが解析される。
【００８６】
この入力タグに対して、設定データを入力する（ステップＳ３３）。この例では、スマートフォン１００より入力された「ＳＳＩＤの値」が設定データであり、設定Ｗｅｂページを擬似的に起動して、これを、ＳＳＩＤの入力タグに入力するスクリプトが起動し、設定を実行する。
【００８７】
このような処理により、ゲートウェイ装置５０の設定をユーザの入力なしで、自動で行うことが可能である。
【００８８】
電化製品１０の設定を、ゲートウェイ装置５０が実行する場合について説明する。電化製品１０は、インターネット網３にアクセスする際に、ゲートウェイ装置５０にアクセスする。このタイミングで、ゲートウェイ装置５０の設定実行手段５３が、電化製品１０に対して、設定データの送信とともに、設定処理を実行する。
【００８９】
ゲートウェイ装置５０は、電化製品１０に対する当該設定データの設定項目が、Ｗｅｂブラウザによる設定であるか否かを判断する（ステップＳ３０）。すなわち、受信した設定データを電化製品１０に反映させる項目が、ゲートウェイ装置５０からＷｅｂブラウザで電化製品１０にアクセスすることにより設定する項目であるか否かを判断する。具体的には、例えば、Ｗｅｂサーバ２００が、設定データを生成した際に、当該設定項目がＷｅｂブラウザで設定される項目であるか否かのフラグを起動しておき、ゲートウェイ装置５０がこのフラグの有無で判断する。
【００９０】
設定方法が、Ｗｅｂブラウザによる設定である場合には（ステップＳ３０：「ＹＥＳ」）、ステップＳ３１に処理を移す。設定方法がＷｅｂブラウザによる設定でない場合には、設定データを、電化製品１０の所定のディレクトリに保存して処理を終了する（ステップＳ３４）。上述と同様に、この場合は、設定項目によっては、所定のディレクトリに設定データを保存するのみで、電化製品１０の設定が反映される場合がある。Ｗｅｂサーバ２００は、設定項目に応じて、このことを事前に判断し、保存するのみで設定が反映されるように、設定データを生成する。所定のディレクトリに設定データを保存するのみでは、設定が反映されない場合は、処理を終了して、ユーザに設定を促すウィザードを出力する。
【００９１】
ステップＳ３１にて、ゲートウェイ装置５０は、設定を行うためのＷｅｂブラウザに表示される電化製品１０のＨＴＭＬ（Ｈｙｐｅｒ  Ｔｅｘｔ  Ｍａｒｋｕｐ  Ｌａｎｇｕａｇｅ）文章を取得する（ステップＳ３１）。具体的には、設定を行うＨＴＭＬ文章を検索する。
【００９２】
次に、取得したＨＴＭＬ文章を解析し、この設定Ｗｅｂページでユーザから入力される項目を定義している入力タグを抽出する（ステップＳ３２）。例えば、「ＳＳＩＤの設定」という文字検索と、「ＩＮＰＵＴ」のタグを抽出することで、ＳＳＩＤが設定されるタグであることが解析される。
【００９３】
次に、この入力タグに対して、設定データを入力する（ステップＳ３３）。この例では、スマートフォン１００より入力された「ＳＳＩＤの値」が設定データであり、設定Ｗｅｂページを擬似的に起動して、これを、ＳＳＩＤの入力タグに入力するスクリプトが起動し、電化製品１０に設定を実行する。このようにして、入力された設定データに対して、電化製品１０が自ら、所定の設定ファイルの記載を変更することで、設定を完了する。
【００９４】
このような処理により、電化製品１０の設定をユーザの入力なしで、自動で行うことが可能である。
【００９５】
次に、スマートフォン１００がＷｅｂアクセスを行うまでのユーザインターフェースについて説明する。すなわち、図５（ａ）、図６がスマートフォン１００の表示部に表示されるまでに、例えば、図１３（ａ）、（ｂ）のような画面を表示して、ユーザを誘導する。すなわち、電化製品１０の設定アイコンを、スマートフォン１００の起動アプリケーション選択画面に表示し、ユーザから「電化製品設定アプリ」の起動を受付ける（図１３（ａ））。次に、電化製品設定アプリケーションが起動すると、予め記憶されたユーザＩＤにより、所有物管理サーバがユーザ認証を行い、ユーザＩＤに対応するユーザが所有する電化製品１０を読み出す。そして、ユーザが所有する電化製品１０を表示し、設定対象となる電化製品１０の種類の選択をユーザから受付ける。ここで、電化製品１０の種類の選択を受けて、図５（ａ）、図６の画面を表示する処理へ移行する。上記の説明では、電化製品１０の設定について説明したが、ゲートウェイ装置５０の設定についても、同様に処理される。
【００９６】
なお、電化製品１０は、携帯電話のように、電化製品１０が屋内のローカルネットワークに設置される機器に限定されない。すなわち、スマートフォン１００からＷｅｂアクセスをすることで、他のスマートフォンが設定されてもよいし、Ｗｅｂアクセスするスマートフォン１００自体が設定されてもよい。この場合には、ゲートウェイ装置５０が、交換機であってもよく、また、屋外や公衆の施設等に設置されたルータ、アクセスポイント等であることにより実現する。
【００９７】
上述した手段、機能は、コンピュータ（ＣＰＵ，ゲートウェイ装置，各種端末を含む）が、所定のプログラムを読み込んで、実行することによって実現される。アプリケーションプログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からアプリケーションプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００９８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９９】
１０  電化製品
１０−ａ  テレビ
１０−ｂ  パソコン
５０  ゲートウェイ装置
１００  スマートフォン
２００  Ｗｅｂサーバ
【図１】
0005148670.tif 000002
【図２】
0005148670.tif 000003
【図３】
0005148670.tif 000004
【図４】
0005148670.tif 000005
【図５】
0005148670.tif 000006
【図６】
0005148670.tif 000007
【図７】
0005148670.tif 000008
【図８】
0005148670.tif 000009
【図９】
0005148670.tif 000010
【図１０】
0005148670.tif 000011
【図１１】
0005148670.tif 000012
【図１２】
0005148670.tif 000013
【図１３】
0005148670.tif 000014